(57)【要約】      （修正有）【課題】食品の保存性が良く、手を汚さずに包装用フィルムを剥がしながら食品を食べることができる食品用包装体を提供する。【解決手段】包装用フィルム１をその中間部７で二つ折りして折り合わされる包装用フィルム１の一方の第１フィルム部１ａと他方の第２フィルム部１ｂの両側縁部の対向面をそれぞれ接離可能に接着する。第１フィルム部１ａと第２フィルム部１ｂの端部３ａ，３ｂから内方の内方端部４ａ，４ｂの対向面を接離可能に接着し、中間の折り返し部７と接着した両側縁部と接着した内方端部４ａ，４ｂの内方を密封した食品の保存部５に形成する。端部３ａ，３ｂと内方端部４ａ，４ｂとの間の第１フィルム部と第２フィルム部とを剥離用の引っ張り部８ａ，８ｂに形成した。【選択図】図２
0003165426.tif 000002
【実用新案登録請求の範囲】
【請求項１】
包装用フィルムをその中間部で二つ折りして折り合わされる該包装用フィルムの一方の第１フィルム部と他方の第２フィルム部の両側縁部の対向面をそれぞれ接離可能に接着すると共にこれら第１フィルム部と第２フィルム部の端部から内方の内方端部の対向面を接離可能に接着し、前記中間の折り返し部と接着した前記両側縁部と接着した前記内方端部の内方を密封した食品の保存部に形成すると共に、前記端部と前記内方端部との間の前記第１フィルム部と前記第２フィルム部とを剥離用の引っ張り部に形成した食品用包装体。
【請求項２】
包装用フィルムをその中間部で分離して重ね合わせた一方の第１フィルム部と他方の第２フィルム部の両側縁部の対向面をそれぞれ接離可能に接着すると共にこれら第１フィルム部と第２フィルム部の一方の端部を接着し、且つ、これら第１フィルム部と第２フィルム部の他方の端部から内方の内方端部の対向面を接離可能に接着し、接着した前記一方の端部と接着した前記両側縁部と接着した前記内方端部の内方を密封した食品の保存部に形成すると共に、前記他方の端部と前記内方端部との間の前記第１フィルム部と前記第２フィルム部とを剥離用の引っ張り部に形成した食品用包装体。
【考案の詳細な説明】
【技術分野】
【０００１】
本考案は、チーズ等の一口タイプの食品を密封状態で保存するのに好適な食品用包装体に関する。
【背景技術】
【０００２】
従来のチーズの包装体として図７に示すように、スティックチーズを包装用フィルムａの辺の一部に、引っぱり切断用の凸部ｂを設け、その包装用フィルムａをもって、スティックチーズを被包し、その両端のシール部ｃ，ｃを熱シール、超音波溶着などでシールし、前記引っぱり切断用の凸部ｂを引っぱってスティックチーズがあらわれるようにしたものが知られている（特許文献１参照）。
【先行技術文献】
【特許文献】
【０００３】
【特許文献１】実開平２−７３１６９号公報
【考案の概要】
【考案が解決しようとする課題】
【０００４】
しかしながら、この従来の包装体によれば、凸部ｂを引っぱって該凸部ｂから先の包装用フィルムａの部分を除去してスティックチーズの相当部分があらわれるようにしたので、該スティックチーズの少量を食べてから、後で食べるために残りの部分を包装して保存することが困難であり、又、該スティックチーズを全て食べるためには、あらわれてなく包装されている部分のスティックチーズを、包装体を指で押しながら該スティックチーズを押し出すようにしなければならず手間がかかる問題点があった。
【０００５】
本考案はこれらの問題点を解消し、保存性が良く、手を汚さずに手軽に食べられる食品用包装体を提供することを目的とする。
【課題を解決するための手段】
【０００６】
前記目的を達成すべく、第１考案は、包装用フィルムをその中間部で二つ折りして折り合わされる該包装用フィルムの一方の第１フィルム部と他方の第２フィルム部の両側縁部の対向面をそれぞれ接離可能に接着すると共にこれら第１フィルム部と第２フィルム部の端部から内方の内方端部の対向面を接離可能に接着し、前記中間の折り返し部と接着した前記両側縁部と接着した前記内方端部の内方を密封した食品の保存部に形成すると共に、前記端部と前記内方端部との間の前記第１フィルム部と前記第２フィルム部とを剥離用の引っ張り部に形成し、又第２考案は、包装用フィルムをその中間部で分離して重ね合わせた一方の第１フィルム部と他方の第２フィルム部の両側縁部の対向面をそれぞれ接離可能に接着すると共にこれら第１フィルム部と第２フィルム部の一方の端部を接着し、且つ、これら第１フィルム部と第２フィルム部の他方の端部から内方の内方端部の対向面を接離可能に接着し、接着した前記一方の端部と接着した前記両側縁部と接着した前記内方端部の内方を密封した食品の保存部に形成すると共に、前記他方の端部と前記内方端部との間の前記第１フィルム部と前記第２フィルム部とを剥離用の引っ張り部に形成した。
【考案の効果】
【０００７】
本考案によれば、食品が７０℃以上、望ましくは８５℃〜９０℃でかつ密封状態で包装されるので、細菌やカビの問題を起こさず、保存性が良い。また、食べる分だけ包装用フィルムを剥がせば、食べない分は包装用フィルムで包装されているので、後で残りの部分を食べるのに包装し直す必要がない。また、包装用フィルムを剥がしながら食品を食べれば、手を汚さずに、かつ、最後まで簡単に食べることができる。
【図面の簡単な説明】
【０００８】
【図１】本考案の食品用包装体の実施例１の正面図である。
【図２】本考案の食品用包装体の実施例１の縦断側面図である。
【図３】本考案の食品用包装体の実施例１の横断平面図である。
【図４】本考案の食品用包装体の実施例２の正面図である。
【図５】本考案の食品用包装体の実施例２の縦断側面図である。
【図６】本考案の食品用包装体の実施例２の横断平面図である。
【図７】従来の食品用包装体の斜視図である。
【考案を実施するための形態】
【０００９】
本考案の実施するための形態の実施例を以下に示す。
【実施例１】
【００１０】
本考案の食品用包装体の実施例１を図１〜図３により説明する。
【００１１】
図１〜図３において、１は例えば６ｃｍ×１６ｃｍの矩形状のアルミニウム製又は合成樹脂製等の包装用フィルムを示し、該包装用フィルム１は中間部７で二つ折りして、折り合わされる該包装用フィルム１の一方の第１フィルム部１ａと他方の第２フィルム部１ｂの両側縁部２ａ，２ｂの対向面をそれぞれ接離可能な接着剤により接着すると共に、これら第１フィルム部１ａと第２フィルム部１ｂの端部３ａ，３ｂから内方に位置する内方端部４ａ，４ｂの対向面を接離可能な接着剤により接着する。
【００１２】
５は食品を密封して保存する保存部を示し、該保存部５は、前記第１フィルム部１ａと前記第２フィルム部１ｂの内面で、前記中間の折り返し部７と接着した前記両側縁部２ａ，２ｂと接着した前記内方端部４ａ，４ｂの内方に形成される。
【００１３】
８ａ，８ｂは一方及び他方の剥離用の引っ張り部を示し、一方の引っ張り部８ａは前記端部３ａと前記内方端部４ａとの間の前記第１フィルム部１ａに形成され、他方の引っ張り部８ｂは前記端部３ｂと前記内方端部４ｂとの間の前記第２フィルム部１ｂに形成され、これら引っ張り部８ａ，８ｂはそれぞれ親指と人差し指でつかめる幅に形成されている。
【００１４】
６は、前記保存部５内に密封状態で保存される食品であるチーズを示し、該チーズ６の前記保存部５への保存方法は、前記包装用フィルム１を二つ折りにして、例えば、一方の側縁部２ａ，２ｂの対向面と内方端部４ａ，４ｂの対向面をそれぞれ接着し、接着されていない他方の側縁部２ａ，２ｂから、７０℃以上、望ましくは８５℃〜９０℃の加熱などにより液体状にしたチーズ６を流し込み、流し込んだ後に、前記他方の側縁部２ａ，２ｂの対向面を接着して、該チーズ６を前記保存部５内に密封して保存し、該チーズ６を冷やして固形状とする。
【００１５】
次に前記食品から前記包装用フィルム１を剥がす方法とその効果を説明する。
【００１６】
包装用フィルム１の一方の第１フィルム部１ａと他方の第２フィルム部１ｂの引っ張り部８ａ，８ｂをそれぞれ左右の手の親指と人差し指でつかみ、互いに離れる方向に引っ張れば、まず、前記内方端部４ａ，４ｂの接着が剥がれ、更に引っ張れば、包装用フィルム１の両側縁部２ａ，２ｂの接着が内方端部側から折れ返し部７に向かって剥がれていき、前記食品であるチーズ６が徐々に露出するようになり、この露出した部分のチーズ６を食べることができる。
【００１７】
以上のように、食品が７０℃以上、望ましくは８５℃〜９０℃でかつ密封状態で包装されるので、細菌やカビの問題を起こさず、保存性が良い。また、食べる分だけ包装用フィルムを剥がせば、食べない分は包装用フィルムで包装されているので、後で残りの部分を食べるのに包装し直す必要がない。また、包装用フィルムを剥がしながら食品を食べれば、手を汚さずに、かつ、最後まで簡単に食べることができる。
【実施例２】
【００１８】
本考案の食品用包装体の実施例２を図４〜図６により説明する。
【００１９】
図４〜図６において、９は例えば６ｃｍ×１６ｃｍの矩形状のアルミニウム製又は合成樹脂製等の包装用フィルムを示し、該包装用フィルム９は中間部で分離して同形の一方の第１フィルム部９ａと他方の第２フィルム部９ｂを形成し、これら第１フィルム部９ａと第２フィルム部９ｂを重ね合わせて、重ね合わされる第１フィルム部９ａと第２フィルム部９ｂの両側縁部１０ａ，１０ｂの対向面をそれぞれ接離可能な接着剤により接着すると共に、これら第１フィルム部９ａと第２フィルム部９ｂの一方の端部１１ａ，１１ｂの対向面を接着剤により接着し、且つ、これら第１フィルム部９ａと第２フィルム部９ｂの他方の端部１２ａ，１２ｂから内方に位置する内方端部１３ａ，１３ｂの対向面を接離可能な接着剤により接着する。
【００２０】
１４は食品を密封して保存する保存部を示し、該保存部１４は、前記第１フィルム部９ａと前記第２フィルム部９ｂの内面で、接着した前記両側縁部１０ａ，１０ｂと接着した一方の端部１１ａ，１１ｂと接着した前記内方端部１３ａ，１３ｂの内方に形成される。
【００２１】
１５ａ，１５ｂは一方及び他方の剥離用の引っ張り部を示し、一方の引っ張り部１５ａは前記他方の端部１２ａと前記内方端部１３ａとの間の前記第１フィルム部９ａに形成され、他方の引っ張り部１５ｂは前記他方の端部１２ｂと前記内方端部１３ｂとの間の前記第２フィルム部９ｂに形成され、これら引っ張り部１５ａ，１５ｂはそれぞれ親指と人差し指でつかめる幅に形成されている。
【００２２】
１６は、前記保存部１４内に密封状態で保存される食品であるチーズ示し、該チーズ１６の前記保存部１４への保存方法は、前記包装用フィルム９を分離して重ね合わせて、例えば、一方の側縁部１０ａ，１０ｂの対向面と一方の端部１１ａ，１１ｂの対向面と内方端部１３ａ，１３ｂの対向面をそれぞれ接着し、接着されていない他方の側縁部１０ａ，１０ｂから、７０℃以上、望ましくは８５℃〜９０℃の加熱などにより液体状にしたチーズ１６を流し込み、流し込んだ後に、前記他方の側縁部１０ａ，１０ｂの対向面を接着して、該チーズ１６を前記保存部１４内に密封して保存し、該チーズ１６を冷やして固形状とする。
【００２３】
なお、前記食品から前記包装用フィルム９を剥がす方法は前記実施例１と同じである。
【００２４】
以上のように、実施例２の効果は、実施例１と同様、食品が７０℃以上、望ましくは８５℃〜９０℃でかつ密封状態で包装されるので、細菌やカビの問題を起こさず、保存性が良い。また、食べる分だけ包装用フィルムを剥がせば、食べない分は包装用フィルムで包装されているので、後で残りの部分を食べるのに包装し直す必要がない。また、包装用フィルムを剥がしながら食品を食べれば、手を汚さずに、かつ、最後まで簡単に食べることができる。
【産業上の利用可能性】
【００２５】
本考案の食品用包装体は、水分・脂肪・蛋白質・炭水化物・塩類・ビタミン類・その他の機能性成分などを含むプロセスチーズ及びそれに類似した成分組織の６０℃以上で流動性を持ち、３０℃以下で固形化する物性の食品に利用することができる。また、包装体内に空気を含まない若しくはほとんど含まない状態で利用する簡単・安全・便利な子どもからお年寄りを含めて誰でも何処でも何時でも食べられる食品を提供することが出来る。
【符号の説明】
【００２６】
１      包装用フィルム
５      保存部
６      チーズ
８ａ    引っ張り部
８ｂ    引っ張り部
９      包装用フィルム
１４    保存部
１５ａ  引っ張り部
１５ｂ  引っ張り部
１６    チーズ
【図１】
0003165426.tif 000003
【図２】
0003165426.tif 000004
【図３】
0003165426.tif 000005
【図４】
0003165426.tif 000006
【図５】
0003165426.tif 000007
【図６】
0003165426.tif 000008
【図７】
0003165426.tif 000009